(57)【特許請求の範囲】
【請求項１】
放送番組スケジュールデータを受信する受信段階と、
録画予約の番組名を特定する番組表題の少なくとも一部を入力する入力段階と、
前記受信段階で受信された前記放送番組スケジュールデータを貯蔵する貯蔵段階と、
前記入力段階で入力された前記番組表題と前記貯蔵段階で貯蔵された前記放送番組スケジュールデータとを比較する比較段階と、
前記比較段階で一致すると判定された場合には、前記番組表題に対応する放送番組スケジュールデータを録画予約データとして記憶する記憶段階と、
前記記憶段階で記憶された前記録画予約データから得られる番組の開始時間と現在時間とが近づくと、前記録画予約データと、デコーダでデコードされた、放送中の番組に対する放送番組スケジュールデータの対応する部分とを比較し、一致すると録画を開始するための録画制御信号を出力する録画制御段階と、を有し、
前記録画制御段階は、録画中には放送番組スケジュールデータの文字ヘッダを検出する検出段階を更に有し、
前記検出段階で文字ヘッダが検出されない場合には録画時間と記録長データとを比較して、録画時間が記録長データより短い時には録画を続行し、録画時間が記録長データより長い時には録画を終了することを特徴とする文字入力予約録画方法。
【請求項２】
前記放送番組スケジュールデータは、少なくとも文字ヘッダデータと、放送番組の全体表題データと、番組の開始及び終了時間データと、チャンネルデータと、日付データと、更新用番組の開始及び終了時間データと、日付データとを有することを特徴とする請求項1記載の文字入力予約録画方法。
【請求項３】
録画が終了前に現在の録画予約データでの番組の開始及び終了時間データ、及び日付データは、現在の録画予約データでの更新用番組の開始及び終了時間データ、及び日付データで更新し、現在の録画予約データでの更新用番組の開始及び終了時間データ、及び日付データは、受信される放送番組スケジュールデータの更新用番組の開始及び終了時間データ、及び日付データで更新することで録画予約データを更新する録画予約データ更新段階を更に有することを特徴とする請求項２に記載の文字入力予約録画方法。
【請求項４】
前記貯蔵段階は、前記受信段階で受信される放送信号から放送番組スケジュールデータを分離するデータ分離段階と、前記データ分離段階で分離された放送番組スケジュールデータを録画予約に関するデータ別に認識するデータ検出段階と、前記データ検出段階で認識された情報により放送番組スケジュールデータを蓄えるラッチ段階とを有することを特徴とする請求項１乃至３の何れか一項に記載の文字入力予約録画方法。
【請求項５】
放送番組スケジュールデータを受信する受信手段と、
録画予約の番組名を特定する番組表題の少なくとも一部を入力する入力手段と、
前記受信手段によって受信された前記放送番組スケジュールデータを貯蔵する貯蔵手段と、
前記入力手段によって入力された前記番組表題と前記貯蔵手段によって貯蔵された前記放送番組スケジュールデータとを比較する比較手段と、
前記比較手段で一致すると判定された場合には、前記番組表題に対応する放送番組スケジュールデータを録画予約データとして記憶する記憶手段と、
前記記憶手段によって記憶された前記録画予約データから得られる番組の開始時間と現在時間とが近づくと、前記録画予約データと、デコーダでデコードされた、放送中の番組に対する放送番組スケジュールデータの対応する部分とを比較し、一致すると録画を開始するための録画制御信号を出力する録画制御手段とを有し、
前記録画制御手段は、録画中には放送番組スケジュールデータの文字ヘッダを検出する検出手段を更に有し、
前記検出手段によって文字ヘッダが検出されない場合には録画時間と記録長データとを比較して、録画時間が記録長データより短い時には録画を続行し、録画時間が記録長データより長い時には録画を終了することを特徴とする文字入力予約録画装置。
【請求項６】
前記放送番組スケジュールデータは、少なくとも文字ヘッダデータと、放送番組の全体表題データと、番組の開始及び終了時間データと、チャンネルデータと、日付データと、更新用番組の開始及び終了時間データと、日付データとを有することを特徴とする請求項５に記載の文字入力予約録画装置。
【請求項７】
録画が終了前に現在の録画予約データでの番組の開始及び終了時間データ、及び日付データを、現在の録画予約データでの更新用番組の開始及び終了時間データ、及び日付データで更新し、現在の録画予約データでの更新用番組の開始及び終了時間データ、及び日付データを、受信される放送番組スケジュールデータの更新用番組の開始及び終了時間データ、及び日付データで更新することで録画予約データを更新する録画予約データ更新手段を更に有することを特徴とする請求項６に記載の文字入力予約録画装置。
【請求項８】
前記貯蔵手段は、前記受信手段によって受信される放送信号から放送番組スケジュールデータを分離するデータ分離手段と、前記データ分離手段によって分離された放送番組スケジュールデータを録画予約に関するデータ別に認識するデータ検出手段と、前記データ検出段手段によって認識された情報により放送番組スケジュールデータを蓄えるラッチ手段とを有することを特徴とする請求項５乃至７の何れか一項に記載の文字入力予約録画装置。
【発明の詳細な説明】
【０００１】
【産業上の利用分野】
本発明は、例えばVCR(Video Cassette Recorder)等のように、放送されるプログラム(番組)を予約録画できる装置に関し、特に、予約しようとする番組表題を直接入力して、その番組を予約録画できる文字入力予約録画方法及びその装置に関するものである。
【０００２】
【従来の技術】
一般に、VCRなどの如く、放送番組の予約録画ができる機器における予約録画は下記のようにして行われる。
【０００３】
まず、ユーザが予約録画をしようとする放送番組に関する情報を入力した後、そのVCRの電源をオフさせておく。VCRは、その録画予約された録画予約の開始時間と現在時間とを常に比較し、録画予約の時間と現在時間とが一致すると、そのVCRの電源をオンにした後、録画予約された放送番組の録画を開始する。そして、この録画予約された番組の録画中に、録画予約の終了時間になったかを判断し、終了時刻となると録画を終了した後、VCRの電源をオフさせる。この際、このVCRに別のチューナが設けられていて、TVを通して他の放送番組の視聴中であっても、前述の録画予約の時間になると録画予約された番組の録画が開始される。
【０００４】
【発明が解決しようとする課題】
ところで従来は、録画予約を行うために、録画予約したい番組に関する多くの情報を入力しなければならなかった。つまり、放送の番組表が記載されているデータ(新聞又は情報誌)を通して、その番組を放送する放送局のチャンネルと番組の開始時間(年、月、日、時、分)及び終了時間と繰り返しモード(NORMAL(通常)、DAILY(毎日)、WEEKLY(月曜日から金曜日まで))とVCRの速度モード(録画時間:SP、LP、SLP)等を設定しなければならなかった。
【０００５】
このような番組に対する情報の入力過程は極めて複雑であり、チャンネル、日付、開始時間、終了時間などは数字等で入力しなければならず、ユーザに多くの不便を与えていた。このような不便を解消するために、最近は予約録画を簡単にするためにコードを利用する方法などが開発されている。
【０００６】
特開平1-68173号の“予約録画方式”には、録画予約しようとする番組情報を1つのコードとして形成し、その番組を録画予約する方式が開示されている。しかし、このような方式においては、各放送局より放送される全ての番組をコード化しなければならないため、ユーザが入力しなければならない数字の桁数が多くなり、操作が面倒であるという問題があった。又、スポーツ中継の延長等で、放送時間が変更されたときの対応が不可能であり、毎日或いは毎週の録画予約の設定が可能であるが、シリーズ物(例えば、月火ドラマ、水木ドラマ、土日ドラマ…など)に対応した時間を設定して連続して予約録画を行うことができなかった。
【０００７】
さらに、録画予約された番組を確認する際、その録画予約している番組表題を確かめることができないため、その録画予約されている内容がユーザの希望する番組であるかどうかが判別できないという問題点があった。
【０００８】
特開平3-88159号の“ 番組予約システム”によれば、CD−ROMなどの番組を記録した記録媒体を利用して、ジャンルキーコードにより番組記憶媒体に記録されたデータベースを検索して、ユーザが録画予約したい番組表題及び予約のモードを指定すると、その番組の予約のモードと、チャンネル、番組の開始時間、終了時間、記録開始日を含む録画予約の設定データを生成し、生成されたデータが記録手段に伝送されて番組の録画予約の設定を行う技術が開始されている。このような方式では、CD−ROMの内容を検索するための装置を必要とすることはもちろんのこと、上記装置を操作しなければならない煩わしさがあった。
【０００９】
本発明は上記従来例に鑑みてなされたもので、予約録画したい番組表題を入力して録画予約の設定を可能にすることにより、録画予約の操作を簡単にした文字入力予約録画方法及び装置を提供することを目的とする。
【００１０】
【課題を解決するための手段】
上記目的を達成するために本発明の文字入力予約録画方法は以下のような段階を備える。即ち、
放送番組スケジュールデータを受信する受信段階と、
録画予約の番組名を特定する番組表題の少なくとも一部を入力する入力段階と、
前記受信段階で受信された前記放送番組スケジュールデータを貯蔵する貯蔵段階と、
前記入力段階で入力された前記番組表題と前記貯蔵段階で貯蔵された前記放送番組スケジュールデータとを比較する比較段階と、
前記比較段階で一致すると判定された場合には、前記番組表題に対応する放送番組スケジュールデータを録画予約データとして記憶する記憶段階と、
前記記憶段階で記憶された前記録画予約データから得られる番組の開始時間と現在時間とが近づくと、前記録画予約データと、デコーダでデコードされた、放送中の番組に対する放送番組スケジュールデータの対応する部分とを比較し、一致すると録画を開始するための録画制御信号を出力する録画制御段階と、を有し、
前記録画制御段階は、録画中には放送番組スケジュールデータの文字ヘッダを検出する検出段階を更に有し、
前記検出段階で文字ヘッダが検出されない場合には録画時間と記録長データとを比較して、録画時間が記録長データより短い時には録画を続行し、録画時間が記録長データより長い時には録画を終了することを特徴とする。
【００１１】
上記目的を達成するために本発明の文字入力予約録画装置は以下のような手段を備える。即ち、
放送番組スケジュールデータを受信する受信手段と、
録画予約の番組名を特定する番組表題の少なくとも一部を入力する入力手段と、
前記受信手段によって受信された前記放送番組スケジュールデータを貯蔵する貯蔵手段と、
前記入力手段によって入力された前記番組表題と前記貯蔵手段によって貯蔵された前記放送番組スケジュールデータとを比較する比較手段と、
前記比較手段で一致すると判定された場合には、前記番組表題に対応する放送番組スケジュールデータを録画予約データとして記憶する記憶手段と、
前記記憶手段によって記憶された前記録画予約データから得られる番組の開始時間と現在時間とが近づくと、前記録画予約データと、デコーダでデコードされた、放送中の番組に対する放送番組スケジュールデータの対応する部分とを比較し、一致すると録画を開始するための録画制御信号を出力する録画制御手段とを有し、
前記録画制御手段は、録画中には放送番組スケジュールデータの文字ヘッダを検出する検出手段を更に有し、
前記検出手段によって文字ヘッダが検出されない場合には録画時間と記録長データとを比較して、録画時間が記録長データより短い時には録画を続行し、録画時間が記録長データより長い時には録画を終了することを特徴とする。
【００１２】
【作用】
かかる構成によれば、放送信号に載せられている放送番組スケジュールデータを受信して一時的に貯蔵するとともに、録画予約の番組名を特定する番組表題の少なくとも一部を入力し、その入力された番組表題と、貯蔵された放送番組スケジュールデータの対応する部分とを比較し、それらが一致する場合には、その番組表題に対応する放送番組スケジュールデータを録画予約データとして記憶し、記憶した録画予約データに基づいて番組表題に対応する放送番組を録画するように動作する。
【００１３】
【実施例】
以下、添付図面を参照して本発明の好適な実施例を詳細に説明する。
【００１４】
図1は本実施例の文字入力予約録画装置の概略構成を示すブロック図である。図1において、録画予約の設定時、番組表題を入力するデータ入力部10と、チューニング部20を通して受信される放送信号から放送番組(プログラム)スケジュールデータとを分離したのち、データ別に一時的に蓄えるスケジュールデータ処理手段と、上記データ入力部10を通して入力される番組表題をコード化した後、上記スケジュールデータ処理手段によって蓄えられている放送番組スケジュールデータの対応する部分のコードと比較し、一致すると該当する放送番組スケジュールデータを録画予約データとして蓄える制御手段と、上記制御手段によって蓄えられた録画予約データとしてと上記スケジュールデータ処理手段で処理される放送番組スケジュールデータとを比較して、該当する番組が受信される時間であると判断されると、録画制御信号を出力して、その番組を録画する録画制御手段とを備えている。この録画制御手段は、映像信号の録画及び再生を行う録画再生部101を有している。
【００１５】
上記構成において、上記スケジュールデータ処理手段は、チューニング部20を通して受信される放送信号から放送番組スケジュールデータを分離するデータ分離器30と、上記データ分離器30から分離された放送番組スケジュールデータを録画予約に関するデータ別に認識するデータ検出器40と、上記データ検出器40から認識された情報により放送番組スケジュールデータを一時的に蓄えるラッチ部50とを有している。
【００１６】
また、上記制御手段は、データ入力部10を通して入力された番組表題をコード化して出力するマイコン60と、上記マイコン60でコード化された番組表題とラッチ部50に一時的に蓄えられた放送番組スケジュールデータの文字ヘッダであるデータヘッダとを比較する比較器70と、上記比較器70における比較の結果、一致するとラッチ部50の放送番組スケジュールデータを、マイコン60を通して入力して録画予約データとして蓄える予約番組メモリ80とを備えている。
【００１７】
更に、上記録画制御手段は、上記スケジュールデータ処理手段のラッチ部50の放送番組スケジュールデータと上記制御手段のマイコン60を介して出力される予約番組メモリ80に蓄えられていた録画予約データの対応する部分とを比較し、一致すると録画を開始するための録画制御信号を出力する比較器90とを備えている。ここで、上記スケジュールデータ処理手段のラッチ部50を通して入力される放送番組スケジュールデータは、デコーダ100によりデコードされて比較器90に出力される。尚、このマイコン60は時間を計時するタイマを有し、このタイマよりの信号に基づいて現在時間の計時及び録画時間の計時等を行うことができる。
【００１８】
一方、チューニング部20を通して受信される映像信号は、ディスプレイ制御部110を通してディスプレイに出力される。また、上記制御手段のマイコン60から出力されるデータ入力部10を通して入力された放送番組スケジュールデータに関する番組表題は、OSD(ON Screen Display)を行うために上記ディスプレイ制御部110に入力される。上記のごとき構成を有する装置の動作を以下に説明する。
【００１９】
ユーザは、録画予約を行うためにデータ入力部10を利用して番組表題を入力する。この際、ユーザは録画予約を行うために番組表題の全体を入力することもでき、一部を入力することもできるが、一部だけを入力するのがより簡便で便利であろう。しかし、番組表題の一部だけを入力する場合は、放送局の番組スケジュールを判読できる新聞又は雑誌などの番組表において、番組表題の必要な単語又は番組表題の一部(文字列)を、例えば、太いゴシック体などで表記されているのを入力するのが好ましい。
【００２０】
ユーザがデータ入力部10より番組表題を入力する時には、TV又はリモコン、VCR自体の0SD機能を利用する。この場合には、マイコン60でディスプレイ制御部110を通して、アルファベット又はハングル(ハングル文字)の子音及び母音を所定順にディスプレイ画面上に表示し、カーソルを用いて所望の文字を選択する。即ち、ディスプレイ画面上の文字の基本構成単位(アルファベット又はハングルの子音、母音)中、少なくとも1つの文字の基本構成単位を表示し、所望の基本構成単位を選択して組合せて文字を構成するようにする。また、ディスプレイ画面上で入力される文字は、少なくとも1つ以上の完成文字、又は単語を表示し、所望の文字又は単語が選択される。
【００２１】
もし、リモコン上に文字の基本構成単位を有する文字盤を別に設ける場合には、その文字盤を用いて、直接表題を入力することができる。即ち、リモコンの文字盤を使用する場合には、リモコンにアルファベット、又はハングル文字の子音及び母音を割当て、これら文字を使用してデ−タを入力する。このような録画予約のための放送番組スケジュールデータは、映像信号のない垂直帰線消去期間(垂直ブランキング期間)中に放送局から送出される。
【００２２】
データ入力部20を通して入力される録画予約のための番組表題は、マイコン60で所定の変換過程を経てコード化される。この際、入力される番組表題の文字データをコード化する方法の一例を図9に示す。尚、図9では、各コードを16進数で示しているが2進数でも良く、また、図9のハングル文字だけでなく、英文のアルファベット文字等を用いても、同様にしてコード化できる。
【００２３】
次に図9を参照して、例えば番組名が“クイズアカデミー”の番組を録画予約する場合について説明する。
【００２４】
新聞又はガイドブック等に記載されている放送局の番組スケジュールの番組表は、既存の他の番組表と比較して、その番組名の特定部分を他の字体で表記されているものとする。即ち、“クイズアカデミー”といった番組名の番組表題では“クイズ”が太字体で表記されているものとする。尚、英文の場合にも同様であるが、英文の場合には録画予約に要する特定部分のみを大文字又は筆記体で表記することにより、上述の例と同様にできる。
【００２５】
ユーザは、このような表記状態に基づいて、0SD又はリモコンを利用して“クイズ”に相当する文字列を入力する。即ち、図9の場合では、文字91→文字92→文字93→文字94→文字95の順に、文字列「クイズ」に相当する文字を順次指定してデータを入力する。こうして入力された文字列は、マイコン6Oにより、図9に基づいてコード化され、“OA 16 19 08 18”に変換される。尚、“クイズアカデミー”の番組表題の全体は、同様にしてコード列“OA 16 19 08 18 07 10 0A 10
02 04 19”で表される。
【００２６】
このようにコードに変換された番組名は、マイコン60内の記憶部に一時的に記憶される。一方、チューニング部20を通して受信された放送信号などは、データ分離器30とディスプレイ制御部110に入力される。
【００２７】
データ分離器30は、放送信号から垂直帰線消去期間に入力される放送番組スケジュールデータのみを分離して出力する。全体放送番組スケジュールデータは、図3に示すように、文字ヘッダと放送番組スケジュールデータとを含んでいる。
【００２８】
放送番組スケジュールデータは、図4のごとく、放送スケジュール認識データと、文字ヘッダ、データパケット、更新用番組データのサブデータパケットとを含んでいる。
【００２９】
データパケットは、図5(A)に示すごとく、データパケット認識データと放送番組の全体表題データと、予約番組認識データと、開始時間データと終了時間データ、及び番組が放送されるチャンネルデータと放送日付データとを含んでいる。
【００３０】
サブデータパケットは連続的な予約録画に必要な資料であって、図5(B)に示すように、サブデータバケット認識データと、録画予約の更新時に必要な次の放送の開始時間データと終了時間データと放送日付データとを含んでいる。
【００３１】
このような放送番組スケジュールデータは、放送局と受信側間に予め約束された情報であって、放送局から放送番組スケジュールデータは続けて送出される。この際、一画面には60個の垂直帰線消去期間があるが、この垂直帰線期間中、所定(本実施例では3つの垂直帰線期間)の垂直帰線消去期間には、現在放送中の番組に対する放送番組スケジュールデータを出力し、全体放送番組スケジュールデータは、上記所定の垂直帰線消去期間以外の期間(60-3=57個の垂直帰線消去期間)に送出される。
【００３２】
ここで、放送スケジュール認識データは、夫々のスケジュールを区切ることのできる認識コードであり、文字ヘッダは録画予約の番組表題の入力時に使用される番組表題であつて、他の番組表題とは区別される文字で構成されるコードである。このコードは、新聞又はガイドブックなどの番組表に、例えば太ゴシック体等で表記された文字に対応しており、これは放送局から提供されるもので、他の番組表題と重複していないことはもちろんである。このような放送番組スケジュールデータがデータ分離器30により夫々分離され、データ検出器40から放送スケジュール認識データ、表題認識データ、予約番組認識データ、サブパケット認識データが検出されると、データ検出器40はデータの有無に対応する制御信号をラッチ部50に伝送する。ラッチ部50は、データ分離器30から分離された放送番組スケジュールデータをラッチ部50内の夫々のラッチ回路にラッチする。
【００３３】
図1における構成は、データ分離器30とデータ検出器4Oとを個別にして述べたが、入力された放送番組スケジュールデータが分離され該当データの入力可否を判断するデータ分離器30及びデータ検出器40を1つの構成としてデータを処理することもできる。つまり、本実施例において用いられるデータ検出器40とラッチ部50の構成は、図2に示すごとく構成できる。
【００３４】
データ分離器30から分離された放送番組スケジュールデータは順次、データ検出器40内の夫々の検出部41〜44に入力され、これら検出部のそれぞれより、対応するデータが検出されたかどうかが信号として出力される。この放送番組スケジュールデータの有無を示す信号により、データ分離器30よりラッチ部50に出力されている放送番組スケジュールデータが夫々のラッチ回路51〜54にラッチされる。こうしてラッチされたデータの内、文字ヘッダに該当するデータヘッダが、データ入力部10を通して入力され、マイコン60を経てコード化されたデータと、比較器70において比較される。
【００３５】
ここで、マイコン60から比較器70に出力されるデータは、ユーザが録画予約しようとする番組表題に関するデータである。比較器70における比較の結果、一致する場合、比較器70からの出力によりラッチ部50にラッチされたデータが順次、マイコン60を介して予約番組メモリ80に伝送される。この際、予約番組メモリ80に伝送されるデータは、放送番組スケジュールデータの文字ヘッダを除く残りのデータである。
【００３６】
このように伝送されて、マイコン60で予約番組メモリ80に蓄えられている放送番組スケジュールデータである録画予約データの放送開始時間が現在時間に近くなった時(つまり、放送開始時間が現在時間に近づいたとき)には、予約番組メモリ80に蓄えられている録画予約データが比較器90に出力される。この録画予約データは、デコーダ100でデコードされた放送番組スケジュールデータの対応する部分と比較器90で比較される。この比較の結果、一致する場合(録画時間に到達した時)は、比較器90から録画制御信号を出力して録画を開始するようにする。これ以後、放送局からの放送番組スケジュールデータで検出される文字ヘッダが一致しないか、録画終了に対するデータを検出すると、その録画動作が停止される。
【００３７】
しかし、放送番組の受信状態が良好でないため、放送番組スケジュールデータの文字ヘッダが検出されないときは録画すべき時間を計算し、その計算された時間だけ録画を行う。つまり、終了時間から開始時間を差し引いた時間を求め、その時間だけ録画を行う。
【００３８】
こうして録画が終了すると、マイコン60は更新用番組データのサブデータパケットから各データを分離して、開始時間、終了時間、放送日付で、現在録画が済んだ録画予約の開始時間、終了時間、放送日付のそれぞれを更新する。
【００３９】
こうして各時間及び日付を更新した後、録画の済んだ録画予約の文字ヘッダと放送信号にのせられた放送番組スケジュールデータの文字ヘッダとを比較し、一致した時は、サブデータパケットのデータを、録画の済んだ録画予約のサブデータパケットのデータとして更新する。
【００４０】
従って、連続的な録画予約の場合にも自動的に録画予約データが更新される。更に、この実施例では、比較器70、90を個別の構成要素として分離して図示しているが、これらはマイコンの機能としても区別でき、またマイコンとの役割を手分けするために、1つの比較器によっても十分実現できる。
【００４１】
次に、このような装置で用いられる本実施例における文字入力による予約録画方法について述べる。
【００４２】
図6に示すごとく、ユーザはリモコン又は本体に付されたキーなどを利用してキー入力を開始する(ステップ110)。データ入力部10より入力されたデータは、通常の機能を利用するためのデータであるか、又は録画予約のモードを設定するデータであるかを判断する(ステップ120)。入力されたデータが一般の機能(例えば、録画された情報の再生及び番組の録画など)を行うためのデータの場合は、ディスプレイ制御部110または図示しないサーボ制御部などを駆動させて、モニタやデッキ部を駆動させ、該当する入力データに応じた機能を実施する(ステップ130)。
【００４３】
一方、ステップ120で、入力データが録画予約のモードを設定するデータである場合にはステップ140に進み、オンスクリーンディスプレイ(OSD)機能を利用して録画予約の過程をより容易にするために、OSD機能をもつディスプレイ制御部110を駆動させ、画面上のデータを用いて入力できるように画面を制御して必要な情報を画面に表示する。ここでは、画面上に「録画予約に対する情報を入力せよ」との指示が表示され、一定期間キー入力を待って待機する(ステップ150)。
【００４４】
キー入力があるとステップ170に進み、キー入力されたデータをユーザの便利又は確認のために、0SD機能を利用して画面に表示する。もし、キー入力なしに事前に設定されている画面持続時間(例、録画予約のモードを判断し、録画予約のモードであることを画面にディスプレイ(ステップ140)したのち一定期間)が経過した場合には、それ以上にはデータ入力がないものと判断し(ステップ160)、0SD画面を取り消して元の状態に復帰する。この画面の持続時間内に、キーデータが入力されるとステップ150に進み、その入力されたデータを判断した後ステップ170に進む。
【００４５】
ステップ170では、ステップ150で入力されたデータを表示する。更に、表示されたデータを蓄えるべきか否かを問う(ステップ180)。もちろん、本実施例においては、ユーザにより入力されたデータと放送局から伝送された放送番組スケジュールデータの文字ヘッダとを比較し、一致する場合には蓄えるかどうかを問わず、直に蓄えるようにもできる。入力されたデータを蓄える場合はステップ210に進み、データをマイコン60のメモリに蓄えることもでき、別のメモリを設けて蓄えることもできる。こうしてデータを蓄えた後、元の状態に戻る。
【００４６】
しかし、録画予約のための入力されたデータを取り消そうとする場合には、ステップ180からステップ190に進み、該当するデータが取り消されたことを画面上に表示し、一定時間が経過すると、画面上に表示されている0SD情報を消して(ステップ200)元の状態に戻る。
【００４７】
このような番組の録画予約の設定におけるステップ210の処理を、図7を参照してより詳しく述べる。
【００４８】
ユーザのキー入力がリモコンとか本体に付されているキーなどを使用して入力されると、マイコンでは該当するキー入力が録画予約のモードと関連されたものであるかを判断する(ステップ410)。もし、キー入力が録画予約のモードに対するものでない場合には、該当キーと関連する機能を実施する(ステップ405)。
【００４９】
入力キーが録画予約のモードに関する場合はステップ420に進み、録画予約のモードの状態に入り、画面に0SD機能を利用するか、リモコンを利用して録画予約すべき番組表題の特徴部を入力し、該当する番組表題(キーデータ)を蓄える。このようにキーデータを蓄えたのち、ステップ430で放送番組スケジュールデータが入力されたどうかを判断する。
【００５０】
放送番組スケジュールデータが入力されない場合には、続けて放送番組スケジュールデータの入力の有無をチェックし、放送番組スケジュールデータが入力されるとステップ440に進む。ステップ440では、放送スケジュール認識データが入力された場合には、ユーザが入力したキーデータと比較される放送番組スケジュールデータが検出されたかを判断する。即ち、放送スケジュール認識データが検出されると、ユーザが入力したキーデータと比較するために、まず文字ヘッダを蓄える(ステップ450)。そしてステップ460において、放送番組スケジュールデータの文字ヘッダであるデータヘッダとユーザの入力したキーデータとを比較する。この比較の結果、相違する場合には該当バッファのデータを消去した後(ステップ455)、ステップ440に戻り、放送番組スケジュールデータを検出するために、ステップ44O乃至ステップ460を繰り返す。
【００５１】
ステップ460の比較の結果、一致する場合にはステップ470に進み、認識される各データ、つまり放送番組全体表題 (例、クイズアカデミー)、番組の開始時間、終了時間、チャンネル、日付、文字ヘッダコード、更新開始時間、終了時間、日付、更新用文字ヘッドコードなどを録画予約データとして予約番組メモリ80に蓄える。こうしてステップ480で録画予約の設定を終了する。
【００５２】
このように、予約番組メモリ80に蓄えられている録画予約データに応じて録画予約を行う過程を、図8のフローチャートを参照して説明する。
【００５３】
予約番組メモリ80に蓄えられている録画予約データの放送開始時間と現在時間とが近い時(つまり、放送時間が現在時間に近づいたとき)には、放送局から伝送されてくる信号を同調し(ステップ510)、データ検出器40により放送番組スケジュールデータの文字ヘッダが検出されたかを判断する(ステップ520)。文字ヘッダが検出されるとステップ530に進み、予約番組メモリ80に記憶されている録画予約データと、その検出された放送番組スケジュールデータで録画予約データに対応する部分とを比較する。この比較結果、不一致する場合にはステップ530に戻り、上記ステップを繰り返すが、一致する場合にはステップ540に進み、録画再生部101による録画を開始する。
【００５４】
録画においても引き続き文字ヘッダの検出可否をチェックし(ステップ550)、放送番組スケジュールデータの文字ヘッダが検出されると、終表示検出であるかを判断する(ステップ570)、終表示の場合はステップ580に進み、録画を停止する。一方、終表示でない場合には再びステップ550に戻り、引き続き録画するとともに、文字ヘッダの検出の有無を判断する。
【００５５】
文字ヘッダ検出ステソプ550で、文字ヘッダが検出されない場合(例、放送受信状態が劣るとき)には、すでに予約番組メモリ80に記憶されている録画予約データにおける番組の開始時間と終了時間との差を表わす記録長データとステップ560で得られた現在までの録画時間とを比較し(ステップ565)、現在までの録画時間が記録長データより短い時には録画を続行し、文字ヘッダ検出有無を判断するステップ550に戻る。また、録画時間が記録長データより長いときはステップ580に進み、その録画を停止する。
【００５６】
録画の停止後、予約番組メモリ80に蓄えられている録画予約データのサブデータパケットにデータが存在する場合は、連続録画すべき番組の存在中を表わすため、録画予約に関するデータを更新する(ステップ590、600)。つまり、サブデータパケットで開始時間、終了時間、放送日付及び文字ヘッドコードを更新する。
【００５７】
このように、録画を終えた録画予約の番組を更新させたのちに、録画を終えた録画予約の番組の文字ヘッダと放送信号に載置された放送番組スケジュールデータの文字ヘッダとを比較し、同一の文字ヘッダを検出したとき、サブデータパケットデータを録画が終わった録画予約データのサブデータパケットデータのあった位置に更新させ(ステップ610)、予約録画を終了する(ステップ620)。
【００５８】
以上説明したように本実施例によれば、番組表題の全体を入力せずに、その番組表題の一部だけを入力し、番組の予約録画を行うことができる。
【００５９】
また、録画予約データには、放送番組全体表題に関するデータが含まれているため、録画予約された番組名をOSD機能通じて画面上で確かめられる。
【００６０】
また、放送時間が変更された場合でも、オペレータを介在しなくてもその番組を録画予約できる効果がある。
【００６１】
尚、本発明は上述の実施例に限定されるものでなく、例えば放送番組スケジュールデータの順序等はこれに限定されるものではない。
【００６２】
上述において、より具体的な実施例について述べたが、本発明の範囲を逸脱することなく、種々の変形が実施できることは明らかである。
【００６３】
【発明の効果】
以上説明したように本発明によれば、録画予約したい番組表題を入力して録画予約の設定を可能にすることにより、予約操作を簡単にできる効果がある。
【００６４】
又、放送番組の時間が変更された場合でも、オペレータを介在しなくても適切に予約録画できる効果がある。
【図面の簡単な説明】
【図１】本実施例の文字入力予約録画装置の概略構成を示すブロック図である。
【図２】図1におけるデータ検出器とラッチ部の詳細を示すブロック図である。
【図３】本実施例における全体放送番組スケジュールデータのデータフォーマットを示す図である。
【図４】図3における放送番組スケジュールデータのデータフォーマットを示す図である。
【図５】図4における放送番組スケジュールデータのフォーマットを示す図で、(A)はデータパケットのデータフォーマットを、(B)はサブデータパケットのデータフォーマットを示している。
【図６】本実施例における文字入力による録画予約の方法を示すフローチャートである。
【図７】本実施例における文字入力による録画予約の方法を示すフローチャートである。
【図８】本実施例における録画予約の処理を示すフローチャートである。
【図９】録画予約のための入力文字とコードとの対応を示す図である。
【符号の説明】
１０    データ入力部
２０    チューニング部
３０    データ分離器
４０    データ検出器
５０    ラッチ部
６０    マイコン
７０、９０  比較器
８０    予約プログラム(番組)メモリ
１００  デコーダ
１１０  ディスプレイ制御部
【図１】
0003709384.tif 000002
【図２】
0003709384.tif 000003
【図３】
0003709384.tif 000004
【図４】
0003709384.tif 000005
【図５】
0003709384.tif 000006
【図６】
0003709384.tif 000007
【図７】
0003709384.tif 000008
【図８】
0003709384.tif 000009
【図９】
0003709384.tif 000010